【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
撮影光源と、
前記撮影光源からの光の光量を検知する光量検知手段と、
前記撮影光源の発光時間が所定の発光時間に達している際に、前記光量検知手段により検知された前記光量を評価値として取得する取得手段と、
前記取得された評価値に基づいて、前記撮影光源の状態を判定する判定手段と、
前記判定手段の判定結果に基づいて前記撮影光源の状態を表示手段に表示させる表示制御手段と、
を有することを特徴とする眼科装置。
【請求項２】
前記表示制御手段は、前記撮影光源の状態を示す表示形態を選択して前記表示手段に表示させることを特徴とする請求項１に記載の眼科装置。
【請求項３】
前記撮影光源の発光時間は、発光の開始から前記光量検知手段が検知した光量が所定の光量に達するまでの時間であることを特徴とする請求項１又は２に記載の眼科装置。
【請求項４】
前記表示制御手段は、前記評価値に応じて前記撮影光源の劣化を示す表示形態を前記表示手段に表示させることを特徴とする請求項１乃至３の何れか一項に記載の眼科装置。
【請求項５】
前記評価値、及び前記被検眼を撮影する複数の撮影モードのうち自発蛍光撮影モードが選択されたこと、に応じて前記自発蛍光撮影を禁止する撮影禁止手段を有し、
前記表示制御手段が、前記自発蛍光撮影の禁止を示す表示形態を前記表示手段に表示させることを特徴とする請求項１乃至４の何れか一項に記載の眼科装置。
【請求項６】
前記判定手段は、前記撮影光源の発光毎に該撮影光源の発光時間を記録手段に記録させる記録制御手段と、
前記撮影光源の発光時間に基づいて該撮影光源の劣化度を検出する検出手段と、
を有することを特徴とする請求項１乃至５の何れか一項に記載の眼科装置。
【請求項７】
前記光量検知手段が検知した光量が所定の光量に達した場合に、前記撮影光源の発光を停止する撮影光源の制御手段を有することを特徴とする請求項１乃至６の何れか一項に記載の眼科装置。
【請求項８】
観察用光源と、
前記撮影光源からの光を照射した被検眼からの戻り光を受光する受光手段と、
前記受光手段の受光結果に基づいて、前記所定の光量を決定する光量決定手段と、
を有することを特徴とする請求項１乃至７の何れか一項に記載の眼科装置。
【請求項９】
前記判定手段は、前記撮影光源の発光毎に該撮影光源の発光時間を記録手段に記録させる記録制御手段と、前記撮影光源の発光時間に基づいて該撮影光源の劣化度を検出する検出手段と、を有し、
前記検出手段は、前記撮影光源の発光開始から基準時間までの間に前記光量検知手段が測定した前記光量を撮影毎に前記評価値として記録しており、前記評価値に基づいて前記劣化度を判定することを特徴とする請求項１に記載の眼科装置。
【請求項１０】
前記判定手段は、前記撮影光源の発光毎に該撮影光源の発光時間を記録手段に記録させる記録制御手段と、前記撮影光源の発光時間に基づいて該撮影光源の劣化度を検出する検出手段と、を有し、
前記検出手段は、前記撮影光源の発光開始から基準光量に達するまでの時間を撮影毎に前記評価値として記録しており、前記評価値に基づいて前記劣化度を判定することを特徴とする請求項１に記載の眼科装置。
【請求項１１】
前記撮影光源の発光時間と前記光量検知手段の光量検知結果との関係から、前記撮影光源の不発光を検出する、不発光検出手段を有することを特徴とする請求項１乃至１０の何れか一項に記載の眼科装置。
【請求項１２】
前記撮影光源の発光の開始から、基準時間までの間に撮影光量が基準光量に達しない場合、撮影光源が前記不発光を起こしていると判定する不発光判定手段を有することを特徴とする請求項１１に記載の眼科装置。
【請求項１３】
前記不発光の検出時に撮影が失敗したことを操作者に通知する失敗通知手段を有することを特徴とする請求項１１又は１２に記載の眼科装置。
【請求項１４】
前記不発光の記録と、前記検出手段が検出した前記劣化度から、劣化状態を判定する劣化状態判定手段を有することを特徴とする請求項１１乃至１３の何れか一項に記載の眼科装置。
【請求項１５】
前記判定される状態は、前記撮影光源が自発蛍光撮影を可能であるか否かを含むことを特徴とする請求項１乃至１４に記載の眼科装置。
【請求項１６】
前記判定される状態は、前記撮影光源の劣化度であることを特徴とする請求項１乃至１４に記載の眼科装置。
【請求項１７】
前記判定手段は、前記評価値を過去に取得した評価値と比較することによって前記撮影光源の状態を判定することを特徴とする請求項１乃至１６に記載の眼科装置。
【請求項１８】
撮影光源からの光の光量を検知する光量検知工程と、
前記撮影光源の発光時間が所定の発光時間に達している際に、前記光量検知工程により検知された前記光量を評価値として取得する取得工程と、
前記取得された評価値に基づいて、前記撮影光源の状態を判定する判定工程と、
前記判定工程での判定結果に基づいて前記撮影光源の状態を表示手段に表示させる表示工程と、
を有することを特徴とする眼科装置の制御方法。
【請求項１９】
前記表示制御手段は、前記撮影光源の状態を示す表示形態を選択して前記表示手段に表示させることを特徴とする請求項１８に記載の眼科装置の制御方法。
【請求項２０】
前記判定される状態は、前記撮影光源が自発蛍光撮影を可能であるか否かを含むことを特徴とする請求項１８に記載の眼科装置の制御方法。
【請求項２１】
前記判定される状態は、前記撮影光源の劣化度であることを特徴とする請求項１８に記載の眼科装置の制御方法。
【請求項２２】
前記判定手段は、前記評価値を過去に取得した評価値と比較することによって前記撮影光源の状態を判定することを特徴とする請求項１８に記載の眼科装置の制御方法。
【請求項２３】
請求項１８乃至２２の何れか一項に記載の眼科装置の制御方法の各工程をコンピュータに実行させることを特徴とするプログラム。
【手続補正２】
【補正対象書類名】明細書
【補正対象項目名】発明の名称
【補正方法】変更
【補正の内容】
【発明の名称】眼科装置及び眼科装置の制御方法
【手続補正３】
【補正対象書類名】明細書
【補正対象項目名】０００１
【補正方法】変更
【補正の内容】
【０００１】
本発明は、被検眼の撮影時に撮影光量の制御を行う眼科装置及びその制御方法に関する。
【手続補正４】
【補正対象書類名】明細書
【補正対象項目名】０００８
【補正方法】変更
【補正の内容】
【０００８】
上記課題を解決するために、本発明に係る眼科装置は、撮影光源と、
前記撮影光源からの光の光量を検知する光量検知手段と、
前記撮影光源の発光時間が所定の発光時間に達している際に、前記光量検知手段により検知された前記光量を評価値として取得する取得手段と、
前記取得された評価値に基づいて、前記撮影光源の状態を判定する判定手段と、
前記判定手段の判定結果に基づいて前記撮影光源の状態を表示手段に表示させる表示制御手段と、
を有することを特徴とする。
また、上記課題を解決するために、本発明に係る眼科装置の制御方法は、
撮影光源からの光の光量を検知する光量検知工程と、
前記撮影光源の発光時間が所定の発光時間に達している際に、前記光量検知工程により検知された前記光量を評価値として取得する取得工程と、
前記取得された評価値に基づいて、前記撮影光源の状態を判定する判定工程と、
前記判定工程での判定結果に基づいて前記撮影光源の状態を表示手段に表示させる表示工程と、
を有することを特徴とする。